(57)【要約】【課題】薬剤師の鑑査業務を支援する新たな鑑査支援システムを提供する。【解決手段】アイテム確認装置１０は、本体装置２０と、本体装置２０を設置する設置台２１を有し、本体装置２０は、撮影機能と、光学的手段によるコード読み取り機能を備えている。本体装置２０は、撮影部２５と、コード読み取り部２６を個別に有し、撮影部２５の向きと、コード読み取り部２６の向きが相違する。設置台２１は前記本体装置２０を保持する保持部３０と、鏡部３１を有し、本体装置２０を保持部３０に設置し、アイテムの撮影又はコードの読み取りのいずれか一方を直接的に実施し、他方を前記鏡部３１を介して行う。【選択図】  図７
2019063514.tif 000002
【特許請求の範囲】
【請求項１】
所定のコードが付されたアイテムを対象とし、アイテムの種類を確認するアイテム確認装置において、
本体装置と、本体装置を設置する設置台を有し、
前記本体装置は、撮影機能と、光学的手段によるコード読み取り機能を備え、
前記本体装置は、撮影部と、コード読み取り部を個別に有し、
前記設置台は前記本体装置を保持する保持部と、鏡部を有し、
前記本体装置を前記保持部に設置し、アイテムの撮影又はコードの読み取りのいずれか一方を直接的に実施し、他方を前記鏡部を介して行うことを特徴とするアイテム確認装置。
【請求項２】
外部にアイテムに関連するアイテム情報が記憶された外部記憶手段があり、当該アイテム情報にはアイテムに付されたコードに関する情報が含まれ、
前記本体装置は通信手段を有していて前記外部記憶手段を含む外部装置との間で情報通信が可能であり、
前記本体装置によってアイテムに付されたコードを読み取り、前記本体装置及び／又は外部装置でアイテム情報を参照し、コードが付されたアイテムが目的のアイテムであるか否かを確認することが可能であることを特徴とする請求項１に記載のアイテム確認装置。
【請求項３】
前記本体装置は内部記憶手段を有し、当該内部記憶手段には、アイテムに関連するアイテム情報が記憶されており、当該アイテム情報にはアイテムに付されたコードに関する情報が含まれ、
前記本体装置によってアイテムに付されたコードを読み取り、アイテム情報を参照し、コードが付されたアイテムが目的のアイテムであるか否かを確認することが可能であることを特徴とする請求項１又は２に記載のアイテム確認装置。
【請求項４】
設置台は、前記本体装置及び／又は鏡部の姿勢を変更可能であることを特徴とする請求項１乃至３のいずれかに記載のアイテム確認装置。
【請求項５】
前記本体装置は表示部を有し、前記設置台は前記表示部が傾斜姿勢及び／又は垂直姿勢となる様に前記本体装置を保持することが可能であることを特徴とする請求項１乃至４のいずれかに記載のアイテム確認装置。
【請求項６】
前記アイテム確認装置は、集められたアイテムの種類を確認するものであり、
集めるべきアイテムは薬剤及び／又はサプリメントであり、
本体装置は表示部を有し、当該表示部に集めるべきアイテムに関する情報を表示可能であり、
アイテムに付されたコードを読み取り、コードを解析して当該アイテムが集めるべきアイテムであるか否かを確認し、集めるべきアイテムであることを条件として、撮影が可能となることを特徴とする請求項１乃至５のいずれかに記載のアイテム確認装置。
【請求項７】
前記アイテム確認装置は、集められたアイテムの種類を確認するものであり、
集めるべきアイテムが複数種類ある場合には、集めるべき全ての種類のアイテムのコードが読み取られたことを条件として、撮影が可能となり、撮影された映像のデータが本体装置及び／又は他の機器に記憶されることを特徴とする請求項１乃至６のいずれかに記載のアイテム確認装置。
【請求項８】
作業時の音声を録音可能であることを特徴とする請求項１乃至７のいずれかに記載のアイテム確認装置。
【請求項９】
鏡部は下半分の面積が上半分の面積よりも大きいものであることを特徴とする請求項１乃至８のいずれかに記載のアイテム確認装置。
【請求項１０】
請求項１乃至９のいずれかに記載のアイテム確認装置と、処方データを有する外部記憶手段と、通信手段を有する鑑査支援システムであって、
前記アイテム確認装置は、集められたアイテムの種類を確認するものであり、集めるべきアイテムは薬剤であり、
前記通信手段を介して外部記憶手段から前記アイテム確認装置に処方データが送信され及び／又は前記通信手段を介して外部記憶手段の処方データを参照し、
アイテムに付されたコードを前記アイテム確認装置で読み取り、前記アイテム確認装置又は前記外部記憶手段の少なくともいずれかで、コードを解析して当該アイテムが処方データに含まれるアイテムであるか否かを確認し、集めるべきアイテムであることを条件として、前記アイテム確認装置での撮影が可能となることを特徴とする鑑査支援システム。
【請求項１１】
処方データを有する外部記憶手段との間で情報通信を行う通信手段を備えた請求項１乃至９のいずれかに記載のアイテム確認装置を動作させるアイテム確認装置用プログラムであって、前記アイテム確認装置は、集められたアイテムの種類を確認するものであり、集めるべきアイテムは薬剤であるアイテム確認装置用プログラムであり、
前記通信手段を介して外部記憶手段から前記アイテム確認装置に処方データが送信され及び／又は前記通信手段を介して外部記憶手段の処方データを参照し、
アイテムに付されたコードを前記アイテム確認装置で読み取り、前記アイテム確認装置又は前記外部記憶手段の少なくともいずれかで、コードを解析して当該アイテムが処方データに含まれるアイテムであるか否かを確認し、集めるべきアイテムであることを条件として、前記アイテム確認装置での撮影が可能となることを特徴とするアイテム確認装置用プログラム。
【発明の詳細な説明】
【技術分野】
【０００１】
本発明は、所望の目的に基づいて集められた薬剤等のアイテムが、目的に沿って正しく集められたものであるか否かを確認する等の用途に使用されるアイテム確認装置に関するものである。
また本発明は、薬剤師が行う薬剤の鑑査業務を支援する鑑査支援システム及びコンピュータプログラムに関するものである。
【背景技術】
【０００２】
例えば、調剤薬局等においては、医師が発行した処方箋に基づいて薬剤を取り集め、処方通りに取り集めができているかを鑑査した後、患者等に提供される。
即ち薬剤師は、処方箋を見ながら薬品棚等から処方情報に基づく所定の薬剤を所定数だけ取り出す。そして取り集めた薬剤が処方箋の通りであることを確認（鑑査）する。鑑査が終わった薬剤は患者等に提供される。
【０００３】
薬剤師の鑑査業務は、患者等に薬剤を提供する最終確認業務であり、一連の調剤行為の中で最も需要であり、慎重を要する業務である。
特許文献１には、薬剤師が行う鑑査を支援する鑑査支援装置が開示されている。
【先行技術文献】
【特許文献】
【０００４】
【特許文献１】特開２０１６−４７２２３号公報
【発明の概要】
【発明が解決しようとする課題】
【０００５】
特許文献１に開示された鑑査支援装置は、処方された薬剤の種類と、数量を確認する機能を備えており、特許文献１に開示された鑑査支援装置を使用することにより、薬剤師の負担は大幅に軽減される。
特許文献１に開示された鑑査支援装置は高性能なものであり、市場においては相当の需要がある。
しかしながら市場においては、より簡便な鑑査支援装置を求める声もある。
本発明は、上記した市場の要求に応える装置を開発することを目的とするものであり、鑑査支援の様なアイテムを集めて確認する作業を支援することができるアイテム確認装置を提供することを課題とする。
また本発明は、薬剤師の鑑査業務を支援する新たな鑑査支援システムを提供することを課題とする。
【課題を解決するための手段】
【０００６】
上記した課題を解決するための態様は、所定のコードが付されたアイテムを対象とし、アイテムの種類を確認するアイテム確認装置において、本体装置と、本体装置を設置する設置台を有し、前記本体装置は、撮影機能と、光学的手段によるコード読み取り機能を備え、前記本体装置は、撮影部と、コード読み取り部を個別に有し、前記設置台は前記本体装置を保持する保持部と、鏡部を有し、前記本体装置を前記保持部に設置し、アイテムの撮影又はコードの読み取りのいずれか一方を直接的に実施し、他方を前記鏡部を介して行うことを特徴とするアイテム確認装置である。
【０００７】
上記した態様において、外部にアイテムに関連するアイテム情報が記憶された外部記憶手段があり、当該アイテム情報にはアイテムに付されたコードに関する情報が含まれ、前記本体装置は通信手段を有していて前記外部記憶手段を含む外部装置との間で情報通信が可能であり、前記本体装置によってアイテムに付されたコードを読み取り、前記本体装置及び／又は外部装置でアイテム情報を参照し、コードが付されたアイテムが目的のアイテムであるか否かを確認することが可能であることが望ましい。
【０００８】
また上記した各態様において、前記本体装置は内部記憶手段を有し、当該内部記憶手段には、アイテムに関連するアイテム情報が記憶されており、当該アイテム情報にはアイテムに付されたコードに関する情報が含まれ、前記本体装置によってアイテムに付されたコードを読み取り、アイテム情報を参照し、コードが付されたアイテムが目的のアイテムであるか否かを確認することが可能であることが望ましい。
【０００９】
上記した各態様において、設置台は、前記本体装置及び／又は鏡部の姿勢を変更可能であることが望ましい。
【００１０】
上記した各態様において、前記本体装置は表示部を有し、前記設置台は前記表示部が傾斜姿勢及び／又は垂直姿勢となる様に前記本体装置を保持することが可能であることが望ましい。
【００１１】
上記した各態様において、前記アイテム確認装置は、集められたアイテムの種類を確認するものであり、集めるべきアイテムは薬剤及び／又はサプリメントであり、本体装置は表示部を有し、当該表示部に集めるべきアイテムに関する情報を表示可能であり、アイテムに付されたコードを読み取り、コードを解析して当該アイテムが集めるべきアイテムであるか否かを確認し、集めるべきアイテムであることを条件として、撮影が可能となることが望ましい。
【００１２】
上記した各態様において、前記アイテム確認装置は、集められたアイテムの種類を確認するものであり、集めるべきアイテムが複数種類ある場合には、集めるべき全ての種類のアイテムのコードが読み取られたことを条件として、撮影が可能となり、撮影された映像のデータが本体装置及び／又は他の機器に記憶されることが望ましい。
【００１３】
上記した各態様において、作業時の音声を録音可能であることが望ましい。
【００１４】
上記した各態様において、鏡部は下半分の面積が上半分の面積よりも大きいものであることが望ましい。
【００１５】
鑑査支援システムの態様は、上記したアイテム確認装置と、アイテム確認装置と、処方データを有する外部記憶手段と、通信手段を有する鑑査支援システムであって、前記アイテム確認装置は、集められたアイテムの種類を確認するものであり、集めるべきアイテムは薬剤であり、前記通信手段を介して外部記憶手段から前記アイテム確認装置に処方データが送信され及び／又は前記通信手段を介して外部記憶手段の処方データを参照し、アイテムに付されたコードを前記アイテム確認装置で読み取り、前記アイテム確認装置又は前記外部記憶手段の少なくともいずれかで、コードを解析して当該アイテムが処方データに含まれるアイテムであるか否かを確認し、集めるべきアイテムであることを条件として、前記アイテム確認装置での撮影が可能となることを特徴とする。
【００１６】
コンピュータプログラムの態様は、処方データを有する外部記憶手段との間で情報通信を行う通信手段を備えた上記いずれかに記載のアイテム確認装置を動作させるアイテム確認装置用プログラムであって、前記アイテム確認装置は、集められたアイテムの種類を確認するものであり、集めるべきアイテムは薬剤であるアイテム確認装置用プログラムであり、前記通信手段を介して外部記憶手段から前記アイテム確認装置に処方データが送信され及び／又は前記通信手段を介して外部記憶手段の処方データを参照し、アイテムに付されたコードを前記アイテム確認装置で読み取り、前記アイテム確認装置又は前記外部記憶手段の少なくともいずれかで、コードを解析して当該アイテムが処方データに含まれるアイテムであるか否かを確認し、集めるべきアイテムであることを条件として、前記アイテム確認装置での撮影が可能となることを特徴とする。
【発明の効果】
【００１７】
本発明のアイテム確認装置によると、薬剤師が行う鑑査の様な、薬剤その他のアイテムを集めて確認する作業を支援することができる。そのため作業者の作業負担を軽減することができる。
また本発明の鑑査支援システム及びアイテム確認装置用プログラムによると、薬剤師が行う鑑査業務を支援することができ、薬剤師の作業負担を軽減することができる。
【図面の簡単な説明】
【００１８】
【図１】本発明の実施形態の鑑査支援システムの機器構成を示す説明図である。
【図２】本発明の実施形態の鑑査支援システムの使用方法を示す説明図である。
【図３】（ａ）は本発明の実施形態のアイテム確認装置の斜視図であり、（ｂ）は薬剤の裏面図である。
【図４】図３のアイテム確認装置の斜視図であって、本体部と設置台とを分離した状態を示す。
【図５】アイテム確認装置の本体部の分解斜視図であって、（ａ）は正面側から観察した状態を示し、（ｂ）は裏面側から観察した状態を示す。
【図６】アイテム確認装置の本体部の斜視図であって、（ａ）は正面側から観察した状態を示し、（ｂ）は裏面側から観察した状態を示す。
【図７】（ａ）はアイテム確認装置の側面図であり、（ｂ）はアイテム確認装置によって薬剤に付されたコードを読み取る際の様子を示す説明図であり、（ｃ）はアイテム確認装置によって薬剤を撮影する際の様子を示す説明図である。
【図８】（ａ）はアイテム確認装置のブロック図であり、（ｂ）は記憶部の詳細なブロック図である。
【図９】アイテム確認装置の動作を示すフローチャートである。
【図１０】図３に示すアイテム確認装置にエリア確認部材を設置した状態の斜視図である。
【図１１】アイテム確認装置の撮影可能エリア及び有効撮影エリアと、撮影対象の関係を示す説明図であり、（ａ）は有効撮影エリア内に撮影対象が納まっている状態を示し、（ｂ）は撮影対象が有効撮影エリアから外れている状態を示す。
【図１２】図３に示すアイテム確認装置の表示画面の一例を示す図面である。
【発明を実施するための形態】
【００１９】
以下さらに本発明の実施形態について説明する。
本実施形態の鑑査支援システム１は、薬剤師が行う調剤業務を支援するものであり、より具体的には薬剤師が行う鑑査を支援するものである。
本実施形態の鑑査支援システム１は、図１の様に上位機器２と、ネットワークハードディスク１３、アイテム確認装置１０及びプリンタ５によって構成されている。またこれらの機器は、有線又は無線通信によって接続されている。なおアイテム確認装置１０の数は任意であり、一台であっても複数台であってもよい。
【００２０】
上位機器２は、薬局や病院等のユーザが独自に構築するＬＡＮ（ローカルエリアネットワーク）等のネットワーク１１で接続された機器であり、本実施形態では、レセプトコンピュータ１２を含んでいる。上位機器２は、鑑査支援システム１において、アイテム確認装置１０と情報通信可能な外部装置である。
また本実施形態の鑑査支援システム１では、ネットワークハードディスク１３があり、ネットワークハードディスク１３はネットワーク１１によってレセプトコンピュータ１２と繋がっている。
ネットワークハードディスク１３は、アイテム確認装置１０と情報通信可能な外部記憶手段である。
またこれらに代わって、またはこれらに加えて、医師等が処方データを登録するために使用する電子カルテシステム、オーダーリングシステム等を上位機器２としてもよい。
【００２１】
ネットワークハードディスク（外部記憶手段）１３には、アイテムに関連するアイテム情報が記憶されている。アイテム情報にはアイテムに付されたコードに関する情報が含まれている。
具体的には、ネットワークハードディスク（外部記憶手段）１３には、例えば医薬品マスター及び患者マスター等の各種データベースが記憶されている。ここで医薬品マスターには、薬品コード、薬品名、ＪＡＮコード（又はＲＳＳ）、ＧＳ１コード、薬瓶コード、区分（剤形：散薬、錠剤、水剤、外用薬など）、単位、比重、薬品種（普通薬、毒薬、麻薬、劇薬、抗精神薬、治療薬など）、配合変化、賦形薬品、注意事項などの情報が含まれている。
医薬品マスターのデータは、定期的に自動更新されることが望ましい。
患者マスターには、患者各々の患者ＩＤ、氏名、性別、年齢、既往歴、家族情報、診療科、病棟、及び病室などの情報が含まれている。
また上記したネットワーク１１には無線ＬＡＮのアクセスポイント１５が接続されており、アイテム確認装置１０との間でもネットワークが構築されている。
ネットワークハードディスク１３には、処方データも記憶されている。
【００２２】
次にアイテム確認装置１０について説明する。
理解を容易にするため、先にアイテム確認装置１０の概要について説明し、その後で詳細な説明を行うこととする。
アイテム確認装置１０は、図３、図４の様に本体装置２０と設置台２１によって構成されている。
本体装置２０は、撮影機能と、光学的手段による識別コード読み取り機能を備えた電子機器である。本体装置２０は、後記する様に、情報端末２２にコード読取端末２３が取り付けられたものであり、撮影部２５とコード読み取り部２６を個別に有している。
本実施形態では、撮影部２５は、具体的には撮影用の撮影用入光部である。
本実施形態では、撮影部２５たる撮影用入光部は、本体装置２０の裏面の一端側であって、中心線を外れて偏心した位置にある。撮影部２５にはレンズやガラスがはめ込まれている。
【００２３】
本体装置２０の表面側には図３乃至図６（ａ）の様に表示画面（表示部）２７がある。表示画面２７はタッチパネルであり、入力手段としても機能する。
本体装置２０の裏面側には、図６（ｂ）の様に、前記した撮影部２５と、コード読み取り部２６がある。
本実施形態では、本体装置２０の撮影部２５の向きとコード読み取り部２６のコード認識用入光部２８の向きは違っており、図６（ｂ）の様に、撮影部２５に入光されるべき光軸Ａと、コード認識用入光部２８に入光されるべき光軸Ｂは大きくずれている。
【００２４】
設置台２１は、図４、図５の様に本体装置２０を設置する保持部３０と、鏡部３１を有している。
本実施形態のアイテム確認装置１０は、設置台２１に本体装置２０が設置されたものである。
本体装置２０が取り付けられた状態においては、表示画面２７は、使用者側に向く。一方、裏面側のコード認識用入光部２８は、下向きとなる。これに対して撮影部２５は、斜め下後方向きとなる。そのため撮影部２５は、図７（ｃ）の様に鏡部３１側を向く。
また本体装置２０は、設置台２１の中心軸に対してやや偏心した位置に取り付けられ、撮影部２５とコード認識用入光部２８が設置台２１の中心軸を跨ぐ。
即ち撮影部２５たる撮影用入光部は、図５の様に本体装置２０の中心線を外れて偏心した位置にあり、コード認識用入光部２８と比較すると、辺部によった位置にある。
本実施形態では、両者の横方向のずれを補正する為に、本体装置２０は、撮影部２５とコード認識用入光部２８が設置台２１の中心軸を跨ぐ位置に取り付けられる。
【００２５】
本実施形態で採用した本体装置２０では、情報端末２２の撮影部２５が、偏心した位置にあるものであったから、撮影領域がアイテム確認装置１０の中心に近づく様に本体装置２０の取り付け位置をずらした。しかしながら情報端末２２の撮影部２５のレイウトには各種のものがあり、撮影部２５の位置によっては必ずしも本体装置２０の取り付け位置を偏心させる必要はない。
本体装置２０の取り付け位置は、鏡部３１の反射像が撮影部２５に入光可能な位置であれば足る。
【００２６】
本実施形態では、薬剤１００を本体装置２０の下において、コード認識と、薬剤の撮影を行う。
本実施形態では、コード認識用入光部２８は下向き姿勢であるから、薬剤１００に付されたコード認識を直接的に読み取ることができる。
また本実施形態では、薬剤１００の撮影を鏡部３１を介して行う。
即ち撮影部２５自体は、図７（ｃ）の様に斜め下後方向きとなっているが、当該方向には鏡部３１がある。鏡部３１は前方（使用者側）に向いているので、薬剤１００を写している。撮影部２５は、鏡部３１に向いているので、鏡部３１に写った薬剤１００の像を入射することができ、薬剤１００の像を間接的に撮影することができる。
なお実際には、正確にコード１０６を読み取ることができる薬剤１００の位置と、撮影に適した薬剤１００の位置はずれている場合が多いので、コードを読み取った後で、薬剤１００の位置を調整する場合が多い。
【００２７】
以下、各部材について詳細に説明する。
（本体装置２０の情報端末２２）
情報端末２２は、例えばＰＤＡ、スマートフォン、タブレット端末、又はメディアプレーヤーなどのモバイル端末である。情報端末２２として、例えばｉＰｏｄ  Ｔｏｕｃｈ（登録商標）又はｉＰｈｏｎｅ（登録商標）などを利用することができる。情報端末２２は、写真撮影を行い、写真データを記憶する機能を有している。
【００２８】
情報端末２２の外観形状は長方形であって、厚さの薄い板状である。公知の様に、情報端末２２は、正面側に表示画面（表示部）２７がある。本実施形態では、表示画面（表示部）２７はタッチパネルであり、入力装置としても機能する。表示画面２７は単なる表示画面であって入力スイッチ等を別途有していてもよい。
また裏面側に、図５（ｂ）の様に撮影部２５がある。撮影部２５の入光軸Ａは、本体部分３３に対して垂直方向に向いている。撮影部２５は本体部分３３の角寄りの位置にあり、一方の短辺側であって、且つ一方の長辺側に寄った位置にあり、中心を大きく外れた位置にある。
情報端末２２には雌コネクタ４７がある。
【００２９】
情報端末２２は、前記した様に公知のモバイル端末であり、図８の様に制御部４１、記憶部（内部記憶手段）４２、表示部４３、通信Ｉ／Ｆ４５及び蓄電池４６を備えている。
通信Ｉ／Ｆ４５は、前記したアクセスポイント１５及びプリンタ５との間で、予め定められた通信プロトコルに従って無線又は有線でデータ通信を実行することが可能な通信インターフェースである。
【００３０】
制御部４１は、ＣＰＵ、ＲＯＭ、ＲＡＭ、及びＥＥＰＲＯＭ（登録商標）などの制御機器を有する。
記憶部（内部記憶手段）４２は、制御部４１によって実行される制御プログラム、及びネットワークハードディスク１３又は上位機器２から入力される処方データなどの各種のデータが記憶されるフラッシュメモリ等の不揮発性の記憶部である。
本実施形態では、情報端末２２の記憶部４２にもネットワークハードディスク１３に格納された医薬品マスターと同等の情報が記憶されている。具体的には、内部記憶手段たる記憶部４２のマザーマスターテーブル４２３は、アイテムに関連するアイテム情報が記憶されている。アイテム情報にはアイテムに付されたコードに関する情報が含まれている。
【００３１】
詳細に説明すると、記憶部（内部記憶手段）４２は、図８（ｂ）の様に前記した制御プログラム４２１が格納された領域と、データベースファイル４２２として機能する領域を有している。
データベースファイル４２２には、図８（ｂ）の様にマザーマスターテーブル４２３と、一時記憶マスターテーブル４２５と、利用者マスターテーブル４２５がある。
そしてマザーマスターテーブル４２３に、ネットワークハードディスク１３に格納された医薬品マスターと同等の情報が記憶されている。マザーマスターテーブル４２３に入力される医薬品マスターは、通信手段を介してネットワークハードディスク１３から取り込まれる。
一時記憶マスターテーブル４２５は、医薬品マスターに薬剤の情報を追加する際に、一時的に情報を記憶させておく領域である。
利用者マスターテーブルには、アイテム確認装置１０を使用することが許される薬剤師等のデータが記憶されている。
【００３２】
制御部４１は、ＣＰＵを用いて、ＲＯＭ又は記憶部４２に予め記憶された各種の制御プログラムに従って各種の処理を実行する。例えば、制御部４１は、送信処理部４１１及び情報処理部４１２を含む。具体的に、制御部４１は、制御プログラムに従って各種の処理を実行することにより送信処理部４１１及び情報処理部４１２として機能する。
【００３３】
制御プログラムは、アイテム確認装置用プログラムであり、通信手段を介してネットワークハードディスク（外部記憶手段）１３からアイテム確認装置１０に処方データを取得する動作、あるいは通信手段を介してネットワークハードディスク１３の処方データを参照する動作のいずれか又は双方を実行する。またアイテムに付されたコードをアイテム確認装置１０で読み取り、アイテム確認装置１０で、コードを解析してアイテムが処方データに含まれるアイテムであるか否かを確認し、集めるべきアイテムであることを条件として、アイテム確認装置１０での撮影が可能する動作を実行する。
コードを解析してアイテムが処方データに含まれるアイテムであるか否かを確認する動作を外部の機器で行わせる場合もある。またさらには、ネットワークハードディスク１３の代わりに薬局内、病院内の上位機器（図示せず）と接続することにより、上位機器との通信において同様の作業を実行させてもよい。
【００３４】
情報処理部４１２は、コード読取端末２３で読み取られる情報に基づいて情報処理を実行する。例えば、情報処理部４１２は、コード読取端末２３で読み取られるコードを解析し、薬品識別情報と処方データとを照合する照合処理を実行する。
【００３５】
情報端末２２及び前記コード読取端末２３には、相互に連結可能なコネクタ４７及びコネクタ４８（図８）が設けられており、二つのコネクタ４７，４８が接続されることにより、情報端末２２とコード読取端末２３の間のデータ送受信が可能となる。
【００３６】
情報端末２２は、薬品を識別するための薬品識別情報を、薬剤１００に付されたコード１０６から読み取り、処方データと照合するために用いられる。前記したコード１０６は、バーコードのような一次元又はＱＲコード（登録商標）のような二次元のコードである。また、バーコードには、例えばＪＡＮコード規格、ＧＳ１コード規格、及びＮＷ−７規格などで規定されたコードが含まれる。また、前記したコード１０６には、１次元コードと２次元コードとが上下二段に配置されたコンポジット付のＧＳ１コードなどの複合コードも含まれる。本体装置２０では、コード１０６を読み取る専用端末であるコード読取端末２３を用いているため、このような多種類のコード１０６の読み取りが可能である。
【００３７】
情報端末２２は、前記した様に撮影機能を有している。情報端末２２は、所定の操作を行うことにより撮影モードとなる。撮影モードにおいては、裏面側の撮影部２５に入射した映像が、正面側の表示画面２７にモニター表示される。そしてタッチパネル等を操作することにより、映像が静止画として取り込まれ、記憶部４２に記憶される。
【００３８】
（本体装置２０のコード読取端末２３）
コード読取端末２３は、コード１０６を読み取るために使用される専用端末である。コード読取端末２３は、前記した情報端末２２に着脱可能であり、情報端末２２に外付けされて使用される。
コード読取端末２３の外観形状は、図５（ａ）の通りであり、有底の枠状である。即ちコード読取端末２３には、本体装置２０の情報端末２２が嵌まり込む凹部５０があり、当該凹部５０の周囲を枠状部７６が取り囲んでいる。
枠状部７６の上辺の内側にはコネクタ４８が設けられている。情報端末２２がコード読取端末２３に装着された状態においては、コード読取端末２３のコネクタ４８が情報端末２２の雌コネクタ４７と嵌合し、相互に連結されてデータ送受信が可能となる。
【００３９】
前記した様に、凹部５０には底７７があるが、情報端末２２の撮影部２５に相当する位置に、開口７８が設けられている。そのため情報端末２２がコード読取端末２３に装着された状態においては、情報端末２２の撮影部２５がコード読取端末２３の裏面側に露出する。
【００４０】
コード読取端末２３の裏面側に目を移すと、裏面側にはコード読み取り部２６が設けられている。即ちコード読取端末２３の裏面には突出部３５があり、その一方側に傾斜面８０を有している。そして当該傾斜面８０にコード読み取り部２６がある。
またコード読取端末２３の裏面側には磁性体板６０取り付けられている。
【００４１】
コード読み取り部２６は、赤色の光源及び受光部を備え、当該光源を発光させたときにコード認識用入光部２８が受光する反射光に基づいて前記コード１０６を読み取ることが可能である。コード読み取り部２６では、光源からの光が前記コード読取端末２３の背面側に設けられた出射窓（図示せず）から照射され、前記出射窓に入射する反射光がコード認識用入光部２８で受光される。
コードの読取方式には、光源としてＬＥＤアレイを用い、受光部としてＣＣＤを用いるリニアＣＣＤ式又は２Ｄイメージャ式などがある。また、コード１０６の読取方式としては、他にレーザー式又は手動走査式なども考えられる。なお、光源は、赤外線などの不可視光線であってもよいが、赤色などの可視光線を照射するものであることが望ましい。これにより、ユーザーは、可視光線の位置をコード１０６に合わせることにより容易に前記コード読取端末２３にコード１０６を読み取らせることができる。
【００４２】
コード読取端末２３には、制御部５１、読取操作部５２、コード読み取り部５３、及び蓄電池５４が内蔵されている。
制御部５１はＣＰＵを有し、各種の演算処理を実行する。
読取処理部５１１は、所定の開始信号を受けてコード読み取り部２６によるコードの読取処理を開始する。具体的に、前記読取処理部５１１は、コード読み取り部２６の光源の発光を開始させる。
【００４３】
（設置台２１）
設置台２１は、図３、図４、図７の様に、支持部６１に鏡６２と保持部材６３が取り付けられたものである。
支持部６１は３個のパーツによって構成されている。即ち支持部６１は、下部から脚部材６５と、鏡取り付け部材６６と、保持部材取り付け部材６７を有し、これらがヒンジ部７３，７５で結合されたものである。
脚部材６５は、接地部７０と縦板部７１を有し、側面から見ると、図７（ａ）の様に「Ｌ」字状を呈している。
接地部７０は、机等に接する部位であり、図４の様に中央に大きな開口６８があり、二本の設置板部７２が一定の角度で接合された様な形状となっている。
縦板部７１は、接地部７０の二本の設置板部７２と連続し、曲面を構成して接地部７０から立ち上がった部位である。
【００４４】
鏡取り付け部材６６は、脚部材６５の縦板部７１とヒンジ部７３で繋がった縦板である。
保持部材取り付け部材６７は、鏡取り付け部材６６の上端にヒンジ部７５を介して取り付けられたものである。
前記したヒンジ部７３，７５は、軸を中心として回動方向に自由度があるものの、揺動には相当の抵抗があり、故意に外力を与えなければ揺動しない。そのため故意に外力を与えなければヒンジ部７３，７５で結合された部材は、その姿勢を維持する。
【００４５】
鏡取り付け部材６６には鏡６２が取り付けられていて鏡部３１が構成されている。鏡６２は、反射面が正面側に向く。鏡６２は、略台形形状であり、下辺側が上辺側に比べて長い。従って鏡６２は、下半分の面積が上半分の面積よりも大きい。
また本実施形態では、一方の台形の斜辺の相当する辺の上端を除く領域に切り欠き部８１がある。
【００４６】
また保持部材取り付け部材６７に、保持部材６３が取り付けられて保持部３０が構成されている。保持部材６３は、緩衝材５６と、磁石３６によって構成されている。
保持部材取り付け部材６７及び保持部材６３は、脚部材６５及び鏡取り付け部材６６の中心線に対してやや偏心した位置にある。即ち脚部材６５と鏡取り付け部材６６の中心線は一致するが、保持部材６３の中心線は前者の中心線に対してずれている。
【００４７】
（アイテム確認装置１０）
アイテム確認装置１０は、前記した様に本体装置２０と設置台２１によって構成されている。また本体装置２０は、情報端末２２にコード読取端末２３が外装されたものである。
アイテム確認装置１０は、設置台２１の保持部３０に本体装置２０が取り付けられたものである。具体的には、本体装置２０の裏面に設けられた磁性体板６０が保持部材６３の磁石３６に吸引され、本体装置２０が設置台２１に固定されている。
【００４８】
アイテム確認装置１０の各部の姿勢は、図３、図７（ａ）の通りであり、本体装置２０は、やや傾斜した立ち姿勢であり、本体装置２０の表示画面２７は、使用者の方向に面してやや上方に向いている。
本体装置２０のコード読み取り部２６は、使用者に対して裏面側にあり、直下方向に向いている。例えば、設置台２１の接地部７０の開口６８をのぞむ位置にコード読み取り部２６がある。例えば図３、図７の様に、設置台２１の接地部７０の開口６８の位置が、コード読み取り可能エリア５７となる。
本体装置２０の撮影部２５は、使用者に対して裏面側にあり、鏡部３１にのぞむ位置及び方向にある。
【００４９】
撮影可能エリア５８は、被写体が鏡部３１に写り、その正反射像が本体装置２０の撮影部２５に入光する領域である。
本実施形態では、撮影可能エリア５８は、例えば接地部７０の前方領域である。
なお撮影機器の撮影エリア（視野面積）は、撮影部２５からの距離の二乗に比例して拡大してゆく。ここで鏡部３１の平面と本体装置２０の撮影部２５の平面との間には所定の角度がある。そのため鏡部３１における撮影エリアの形状は、歪な形となり、具体的には台形形状となる。
本実施形態では、鏡部３１における撮影エリアの形状に合致させるべく、台形形状の鏡６２を採用している。そのため本実施形態のアイテム確認装置１０は、外形形状が小さく、且つ撮影エリアに欠けが少ない。
【００５０】
本実施形態で採用する設置台２１は、脚部材６５と、鏡取り付け部材６６と、保持部材取り付け部材６７の３パーツがヒンジ部７３，７５で結合されており、鏡取り付け部材６６と、保持部材取り付け部材６７の角度や姿勢を任意に調節することができる。そのため本体装置２０の表示画面２７を使用者が見やすい位置や姿勢に調節することができる。
また鏡部３１の姿勢を調節して撮影可能エリア５８を変更することもできる。
【００５１】
（鑑査支援システム１の機能）
次に、鑑査支援システム１の機能を薬剤師が行う調剤作業に沿って説明する。
本実施形態の鑑査支援システム１では、上位機器２に処方データが入力され、当該処方データがネットワークハードディスク１３からアイテム確認装置１０に送信される。
これと平行して、薬剤師が薬品棚等から処方箋に記載された薬剤１００を集める。なお薬剤１００の包装にはバーコード等のコード１０６が付されている。
そして薬剤師は、処方箋と取り揃えられた薬剤１００とを照合して鑑査を行うが、その際にアイテム確認装置１０が活用される。
以下説明する。
【００５２】
調剤は、図２の様にレセプトコンピュータ１２が設置された会計室１１０と、薬剤１００が収容された薬品棚１０２等が設置され実際に調剤の実務が行われる調剤室１１１と、鑑査を行う鑑査室１１２で行われる。アイテム確認装置１０は、鑑査室１１２に設置されている。なおアイテム確認装置１０は、持ち運び可能であり、任意の位置に設置することができる。
【００５３】
本実施形態では、図２の様に、レセプトコンピュータ１２に処方箋１０１に記載された処方データが入力される。
そしてレセプトコンピュータに入力された処方データに基づいて、ネットワークハードディスク１３に記憶された医薬品マスターから、医薬品の情報が読み出される。例えば、薬品名やＧＳ１コードに関する情報が読み出される。そして処方データと、ネットワークハードディスク１３から読み出された薬品の情報が、ネットワーク１１のアクセスポイント１５と、鑑査室１１２に設置されたアイテム確認装置１０間の相互通信によってアイテム確認装置１０の本体装置２０の情報端末２２の記憶部４２に記憶される。
実際には、薬局内において調剤がひっきりなしに行われるので、本体装置２０の情報端末２２の記憶部４２には複数の処方情報が蓄積されることとなる。
【００５４】
また薬剤師は、処方箋を持って調剤室１１１に行き、薬品棚１０２等から処方箋１０１に記載された薬剤１００を処方箋１０１に記載された量だけ収集して鑑査を行う鑑査室１１２に持ち込む。例えば、薬剤Ｃ、薬剤Ｄ、薬剤Ｅの三種類が所定量集められたと仮定する。
また各薬剤１００の包装には、ＧＳ１コード等の薬剤を特定するコード１０６が付されている。
そして薬剤師は、アイテム確認装置１０を活用して鑑査を行う。
【００５５】
上記した実施形態では、ネットワークハードディスク１３に記憶された医薬品マスターから、いちいち医薬品の情報が読み出されるが、前記した様にアイテム確認装置１０の記憶部４２にもネットワークハードディスク１３に格納された医薬品マスターと同等の情報が記憶されているから、アイテム確認装置１０の記憶部４２に記憶された医薬品マスターを活用することも推奨される。
この構成を採用する場合には、アイテム確認装置１０とネットワークハードディスク１３が相互通信し、アイテム確認装置１０で処方データを参照する。
そしてネットワークハードディスク１３に記憶された処方データに基づいて、アイテム確認装置１０の記憶部４２に記憶された医薬品マスターから、医薬品の情報が読み出される。
この場合においても、本体装置２０の情報端末２２の記憶部４２には複数の処方情報が蓄積されることとなる。
次に、アイテム確認装置１０の動作手順を、図９のフローチャートを参照しつつ説明する。
【００５６】
最初に鑑査を行う使用者の認証を行う（ステップ１）。
認証は、ＩＤカードを使用したり指紋認証等の公知の手段で行われる。例えばＩＤカードにバーコード等が付されている場合には、アイテム確認装置１０の本体装置２０のコード読み取り部２６にＩＤカードをかざしてバーコード等を読み取り、認証を行う。
使用者が使用資格を有する薬剤師であることが確認されると、ステップ２に移行し、本体装置２０の表示画面２７に未鑑査の調剤リストが表示される。例えば、患者の氏名や識別番号等が複数表示されることとなる。
【００５７】
次に、鑑査を行う対象を選択する（ステップ３）。
例えば、処方箋に記載されたバーコードを読みだしたり、処方箋に記載された番号や、患者名をキーとして、鑑査を行う処方データを特定する。
鑑査対象が選択されると、ステップ４に移行し、本体装置２０の表示画面２７に鑑査対象が表示される。
例えば対象となった患者名や、処方された薬剤名及び処方量が表示画面２７に表示される。例えば、薬剤リストとして、薬剤Ｃ、薬剤Ｄ、薬剤Ｅの名称が表示される。
【００５８】
そしてステップ５に移行し、アイテム確認装置１０の本体装置２０はコード１０６を読み取ることができる状態となる。
即ち本体装置２０のコード読み取り部２６の光源（図示せず）が発光する。
ここで本実施形態では、コード読み取り部２６は、直下方向に向いていて設置台２１の接地部７０の開口６８をのぞむ位置にあるから、光源から発せられた光は、接地部７０の開口６８近傍に照射される。
【００５９】
この状態において、接地部７０の開口６８周辺のコード読み取り可能エリア５７に集められた薬剤１００を置き、包装に付されたＧＳ１コード等のコード１０６を直接的に読みだす（ステップ６）。
順不同であるが、例えば最初に薬剤Ｃを接地部７０の開口６８に置き、薬剤ＣのＧＳ１コード等のコード１０６をコード読み取り部２６で読み取らせる。
【００６０】
ステップ７では、読み取ったコードに相当する薬剤の記録が医薬品マスターに記録があるか否かを確認する。即ち医薬品マスターに記録が無い場合もあるので、ステップ７で医薬品マスターに記録された薬剤であるか否かが確認される。
医薬品マスターに記録がなければ、ステップ１８に移行し、手入力等によって医薬品マスターに追加し、ステップ８に進む。具体的には、図８（ｂ）の一時記憶マスターテーブルに薬剤の情報を書き込む。
医薬品マスターに記録がある場合は、ステップ７から直接ステップ８に進む。
【００６１】
本体装置２０は、読み取ったＧＳ１コード等を解析して薬剤を特定し、鑑査対象となっている処方データと照合する。本実施形態では、本体装置２０内の制御部４１で行われるが、上位機器２にこの機能を持たせてもよい。
【００６２】
そしてＧＳ１コード等を解析し、処方データと比較した結果、処方データに記録された薬剤であることがステップ８で確認されると、ステップ９に移行し、すでに確認された薬剤と重複していないことが確認される。
重複する薬剤でないならば、ステップ１０に移行し、読み取り確認がなされた旨の表示が表示画面２７に表示され、さらに確認音が発せられる。
重複する薬剤であるならばステップ２０に移行し、所定の警告表示を行った後、ステップ４に戻る。
【００６３】
続いてステップ１１に移行し、全ての薬剤が集められたことが確認された否かが判断される。今回の例に従うならば、鑑査すべき薬剤Ｃ，Ｄ，Ｅの内、薬剤Ｃのみが確認され、他の薬剤Ｄ，Ｅは、未確認である。
そのためステップ１１は、ＮＯ判定となり、ステップ４に戻り、本体装置２０の表示画面（表示部）２７に鑑査対象が再度表示される。ただし今回の表示では、鑑査済の薬剤Ｃには、他と区別する表示がなされる。
【００６４】
以下、同様に、薬剤Ｄ，Ｅについてコードが確認される。
そして薬剤Ｄ，Ｅに関するコード読み取り及び照合が終了して再度ステップ１１に至ると、ステップ１１は、ＹＥＳ判定となり、ステップ１２に移行し、鑑査が終了した旨の表示が表示画面２７に表示され、さらに確認音が発せられる。
そしてステップ１３に移行し、タイマの計時が開始される。
さらにステップ１４に移行し、本体装置２０の情報端末２２が、撮影モードに切り換わる。
【００６５】
ここで通常の撮影モードにおいては、裏面側の撮影部２５に入射した映像が、正面側の表示画面２７にそのままモニター表示されるが、ステップ１４において撮影モードに切り換わった場合には、画像が左右反転して表示され、薬剤Ｃ，Ｄ，Ｅを直接目視した場合と同等の画像が表示画面２７に表示される。
即ち本実施形態では、薬剤Ｃ，Ｄ，Ｅの撮影は、鏡部３１を介し間接的に行われ、鏡部３１の反射像が本体装置２０の撮影部２５に入射する。そのため通常の撮影モードの様に入射した映像をそのままモニター表示すると、左右が反転した像となる。
そこで本実施形態では、撮影部２５に入射した像が制御部４１で左右反転されて表示画面２７に表示される。
【００６６】
また本実施形態では、本体装置２０は、やや傾斜した立ち姿勢であり、本体装置２０の表示画面２７は、使用者の方向に面してやや上方に向いている。そのため使用者は無理の無い姿勢で表示画面２７に映し出された薬剤Ｃ，Ｄ，Ｅの映像を確認することができる。本体装置２０の傾斜角度は使用者の好みに応じて変更可能であり、垂直姿勢であってもよい。
【００６７】
作業者は、ステップ１３でタイマの計時が開始され、ステップ１４で本体装置２０の情報端末２２が、撮影モードに切り換わると、タイマの計時が終わるまでの間に、薬剤Ｃ，Ｄ，Ｅを撮影可能エリア５８に集める。そしてステップ１５でタイマの計時が完了すると、ステップ１５に移行し、薬剤Ｃ，Ｄ，Ｅの外観が自動的に撮影される。
なお本実施形態では、情報端末２２が、撮影モードに切り換わると、音声又は表示画面（表示部）２７でカウントダウンがなされる。
【００６８】
本実施形態では、本体装置２０の表示画面２７が使用者の方向に向いており、そのままの姿勢で薬剤Ｃ，Ｄ，Ｅを写真撮影することができるから、操作性が高い。
【００６９】
さらにステップ１７に移行し、映像が、本体装置２０の記憶部４２に記憶される。また必要に応じて他の記憶手段に映像が送られ、処方データと関連付けて保存される。その際、作業者名や、作業日時についても同時に記憶、保存される。
また必要に応じて、これらの情報が、プリンタ５で印字され、紙媒体としても保存される。
【００７０】
以上は、薬剤師が誤りなく薬剤を取り揃えて鑑査を行った場合の流れであるが、仮に集められた薬剤が間違ったものであるならば、ステップ８がＮＯ判定となりステップ１９に移行して所定の警告が行われる。
【００７１】
以上説明した実施形態の機能に加えて、鑑査作業時の音声を録音することも推奨される。例えば、中小の薬局では、カウンター等においで、患者の目の前で鑑査を行い、患者の目の前で薬袋に薬剤を入れて直接患者に手渡すのが一般的である。
その際には、例えば、患者名や薬剤名を声を出して読み上げる場合もある。そこで、鑑査作業時の音声を録音しておけば、後日、なんらかの間違いや、誤解が生じた際に証拠として役立つ。
録音機能は、本体装置２０が有するものであることが望ましいが、他の付属機器を使用してもよい。
いずれにしても、処方データや、薬剤Ｃ，Ｄ，Ｅの映像と関連付けて保存される。
【００７２】
次に、アイテム確認装置１０を設計する際の指針について説明する。
上記したアイテム確認装置１０では、薬剤Ｃ，Ｄ，Ｅを撮影可能エリア５８に集め、一度に全ての薬剤Ｃ，Ｄ，Ｅを撮影する。そのため撮影可能エリア５８は、ある程度の広さを有することが望ましい。
撮影可能エリア５８は、例えばＡ４サイズ程度の広さであることが推奨される。本実施形態のアイテム確認装置１０では、Ａ４サイズ程度（縦長）の撮影可能エリア５８が確保される様に、設置台２１の大きさが設計されている。
【００７３】
使用者が撮影可能エリア５８を明確に理解できる様に、撮影可能エリア５８にエリア確認部材８３を設置してもよい（図１０）。エリア確認部材８３は、一定の面積を有する撮影台や載置シート、紙等であり、図示しない位置決め用の印がある。使用者は、位置決め用の印を目安にして、撮影可能エリア５８の近傍にエリア確認部材８３を設置する。
例えばアイテム確認装置１０を出荷する際に、脚部材６５と、鏡取り付け部材６６と、保持部材取り付け部材６７の相対角度を標準角度に設定しておく。脚部材６５等の相対角度が標準角度であるならば、エリア確認部材８３の表面と撮影可能エリア５８が一致する。
使用者は、薬剤Ｃ，Ｄ，Ｅをエリア確認部材８３の上に集めて撮影を行えば、全ての鑑査済薬剤を正確に撮影することができる。
【００７４】
また他の方策として、画像認識によって撮影すべき薬剤が撮影可能エリア５８に納まっているか否かを確認し、薬剤が撮影可能エリア５８からはみ出した場合に、音声や光、画像等によって警告を発する制御方法を採用してもよい。
【００７５】
例えば、撮影可能エリア５８が図１１の実線の範囲であると仮定すると、それよりもやや狭い範囲（細線のエリア）の有効撮影エリア８２を仮想的に設定する。
図１１（ａ）の様に撮影対象の薬剤Ｃ，Ｄ，Ｅの輪郭線が有効撮影エリア８２内で環状に繋がっていれば撮影可能とし、図１１（ｂ）の様に撮影対象の薬剤Ｃ，Ｄ，Ｅの輪郭線が途切れてしまう場合には、音声その他で警告を発する。
有効撮影エリア８２のラインに画像が重なった場合に、薬剤が撮影可能エリア５８からはみ出したと判定してもよい。
【００７６】
薬剤が撮影可能エリア５８からはみ出している場合には、例えば「向かって左側の薬剤が画像に入っていません」という様な音声ガイダンスや文字表示を行い、具体的な薬剤を指定して薬剤の位置の修正を促す。
あるいは、「本体装置２０を前に傾けて下さい。」「上部のヒンジ部７３の傾斜を強くして本体装置２０を前に傾けて下さい。」「下部のヒンジ部７５の傾斜を緩くして本体装置２０を正面側に向けてください。」という様に、アイテム確認装置１０の姿勢の修正を促す。
薬剤の位置を変更したり、アイテム確認装置１０の姿勢を修正することによって、薬剤Ｃ，Ｄ，Ｅが撮影可能エリア５８に納まれば、「全ての薬剤が画角内に収まりました。撮影可能です。」等の正常に撮影を行うことができる旨のメッセージが発せられる。
その後に、音声又は表示画面（表示部）２７で撮影開始までのカウントダウンがなされることが望ましい。
【００７７】
本実施形態では薬剤を斜め方向から撮影するので、撮影された薬剤の映像は台形状に歪む傾向にある。これを解消するため、形状を自動的に修正するソフトウェアを搭載してもよい。
【００７８】
本実施形態のアイテム確認装置１０では、過去の鑑査履歴が蓄積されており、それを読みだして、図１２（ａ）の様に表示することができる。
また図１２（ｂ）の様に鑑査の詳細を表示することができる。
さらに、鑑査履歴や鑑査の詳細を統計処理して表示したり、外部に出力することができる。
例えば鑑査の結果、薬剤の取り間違いが判明した回数、取り間違いを起こした薬剤師の氏名、取り間違いが多発する時間帯、取り間違いを起こしやすい薬名等を統計的に表示したり出力することができる。
また目視検査の割合や未鑑査の割合や統計を表示したり出力することができる。
【００７９】
薬剤師が必要な薬剤を薬品棚等から取り揃える作業は、原則的に発行された処方箋を参照しつつ行い、取り揃えられた（集められた）薬剤を鑑査する。即ち作業は、処方箋の発行や処方情報が薬剤師の手元に届いてから開始される。
しかしながら、高脂血症や高血圧、糖尿病等の慢性疾患の患者に対しては、毎回同じ処方箋が発行される場合が多い。慢性疾患の患者に対しては、「Ｄｏ処方」と称される前回と同じ処方が繰り返される場合がある。
そこで、処方箋が発行される前に、特定の患者向けの薬剤を取りまとめておく場合もある。
【００８０】
本実施形態のアイテム確認装置１０は、上記した様な予め薬剤を取りまとめておく場合にも対応することができる。
前記した様に、本実施形態のアイテム確認装置１０では、過去の鑑査履歴が蓄積されている。また過去の処方情報についても蓄積されている。
そこで過去の蓄積情報から、当該患者の過去の処方箋を読み出し、当該過去に集められた薬剤と同じ薬剤を集める。そして、過去の処方に基づいて、前記した鑑査と同等の処理を行い、読み取ったＧＳ１コード等を解析して薬剤を特定し、過去の処方データと照合し、薬剤を撮影する。ＧＳ１コード等の情報と、撮影された画像情報は、アイテム確認装置１０に記憶される。
そして実際に処方箋が発行され、アイテム確認装置１０がその情報を受信すると、実際の処方箋と取り揃えられた薬剤を比較し、両者に相違が無いならば、鑑査が終了した旨の表示が表示画面２７に表示される。
尚、過去の処方情報に基づく薬剤名と、今回の処方情報に基づく薬剤名を先に照合してから、今回取り揃えた薬剤の薬剤名に基づく情報と、今回の処方情報との照会を実施してもよい。
【００８１】
以上説明した実施形態では、集めるべき全ての種類の薬剤（アイテム）のコードが読み取られたことを条件として、自動的に撮影モードとなって撮影が可能となり、一定時間経過後に自動撮影が行われる。
しかしながら本発明はこの構成に限定されるものではなく、手動操作によって撮影を行うものであってもよい。また薬剤１００のコード１０６を読み取り、その薬剤１００が集めるべき薬剤であることが確認されるごとに撮影が可能となってもよい。
以上説明した実施形態では、コード読み取り可能エリア５７と撮影可能エリア５８がずれているが、両者が全く同一であってもよく、両者の中心が一致していてもよい。
【００８２】
以上説明した実施形態では、コード１０６の読み取りを直接的に行い、薬剤（アイテム）１００の撮影を鏡部３１を介して行ったが、薬剤（アイテム）１００の撮影を直接的に行い、コード１０６の読み取りを鏡部３１を介して行ってもよい。
【００８３】
以上説明した実施形態では、アイテム確認装置１０を上位機器２のネットワークに接続し、上位機器２から処方データや薬剤情報を得たが、アイテム確認装置１０だけで鑑査を行ってもよい。
この場合には、情報端末２２の記憶部４２に記憶されている医薬品マスターを活用する。
【００８４】
例えば、処方箋を記載した紙や、レセプトコンピュータ１２からプリンタで打ち出して紙に印刷したものに、処方された薬剤を特定するコード１０６を付しておく。
薬剤師は、別途、薬剤１００を集めて、アイテム確認装置１０のある部屋に薬剤を持ち込む。そして処方箋等を記載した紙に印字されたコード１０６をアイテム確認装置１０で読み込み、情報端末２２の記憶部４２に記憶されている医薬品マスターから薬剤名を特定して表示部に表示する。
また先の実施形態と同様に、集められた薬剤１００の包装に付されたコード１０６を読み取り、処方された薬剤１００であるか否かを確認する。
【００８５】
以上説明した実施形態では、アイテム確認装置１０を調剤における鑑査に利用したが、アイテム確認装置１０の用途は、薬剤１００の鑑査に限定されず、他のアイテムを確認する用途に利用することもできる。
例えばサプリメントを販売する薬店や通信販売を行う店舗において、購入者が注文したサプリメントが正しく集められているか否かを確認する用途に使用することもできる。
【符号の説明】
【００８６】
１  鑑査支援システム
２  上位機器
１０  アイテム確認装置
１１  ネットワーク
１２  レセプトコンピュータ
１３  ネットワークハードディスク
２０  本体装置
２１  設置台
２２  情報端末
２３  コード読取端末
２５  撮影部
２６  コード読み取り部
２７  表示画面（表示部）
２８  コード認識用入光部
３０  保持部
３１  鏡部
１００  薬剤
１０６  コード
【図１】
2019063514.tif 000003
【図２】
2019063514.tif 000004
【図３】
2019063514.tif 000005
【図４】
2019063514.tif 000006
【図５】
2019063514.tif 000007
【図６】
2019063514.tif 000008
【図７】
2019063514.tif 000009
【図８】
2019063514.tif 000010
【図９】
2019063514.tif 000011
【図１０】
2019063514.tif 000012
【図１１】
2019063514.tif 000013
【図１２】
2019063514.tif 000014